(57)【要約】【課題】清掃性及び加熱効率の向上並びに低廉化を図りながら、油槽内の調理油の自然発火を防止し得るフライヤーを提供する。【解決手段】調理油Ｌを収容する油槽１と、その油槽１内の調理油Ｌを加熱する加熱手段Ｈとが設けられたフライヤーであって、加熱手段Ｈが、過熱蒸気Ｖａを生成する過熱蒸気生成装置Ｓと、その過熱蒸気生成装置Ｓにて生成された過熱蒸気Ｖａを流動させる過熱蒸気通流部Ｒとを備えて構成され、過熱蒸気通流部Ｒが、油槽１の外側面１ｓを全周にわたって覆う状態で配置され、過熱蒸気生成装置Ｓが、生成する過熱蒸気Ｖａの温度を調整可能な蒸気温度調整部Ｃを備え、蒸気温度調整部Ｃが、過熱蒸気Ｖａの温度を油槽１内の調理油Ｌの自然発火温度よりも低い温度に調整するように構成されている。【選択図】図１
2015205038.tif 000002
【特許請求の範囲】
【請求項１】
調理油を収容する油槽と、その油槽内の調理油を加熱する加熱手段とが設けられたフライヤーであって、
前記加熱手段が、過熱蒸気を生成する過熱蒸気生成装置と、その過熱蒸気生成装置にて生成された過熱蒸気を流動させる過熱蒸気通流部とを備えて構成され、
前記過熱蒸気通流部が、前記油槽の外側面を全周にわたって覆う状態で配置され、
前記過熱蒸気生成装置が、生成する過熱蒸気の温度を調整可能な蒸気温度調整部を備え、
前記蒸気温度調整部が、前記過熱蒸気の温度を前記油槽内の調理油の自然発火温度よりも低い温度に調整するように構成されているフライヤー。
【請求項２】
前記過熱蒸気通流部が、前記油槽の外側面における上方側の部分を覆うように配置されて、前記油槽における底部側に、上方側の部分よりも調理油の温度が低いクールゾーンが形成される請求項１に記載のフライヤー。
【請求項３】
前記過熱蒸気生成装置が、供給される水をバーナを熱源として加熱して飽和水蒸気を生成する蒸気発生器と、その蒸気発生器から供給される飽和水蒸気を電気式加熱部を熱源として加熱して過熱蒸気を生成する過熱蒸気生成器とを備えて構成され、
前記蒸気温度調整部が、前記電気式加熱部に供給する電力を調整することにより、前記過熱蒸気の温度を調整するように構成されている請求項１又は２に記載のフライヤー。
【請求項４】
前記過熱蒸気通流部から排出された排蒸気と前記過熱蒸気生成装置に供給される過熱蒸気生成用の水とを熱交換させて、その過熱蒸気生成用の水を予熱する予熱器が設けられている請求項１〜３のいずれか１項に記載のフライヤー。
【発明の詳細な説明】
【技術分野】
【０００１】
本発明は、調理油を収容する油槽と、その油槽内の調理油を加熱する加熱手段とが設けられたフライヤーに関する。
【背景技術】
【０００２】
かかるフライヤーは、加熱手段により油槽内の調理油を加熱する状態で、揚げ調理対象の食材を油槽内に入れて、食材を揚げ調理するものである。
このようなフライヤーにおいて、従来、バーナの燃焼ガスを通流させる燃焼ガス通流室を油槽の底部の外面を覆う状態で設けて、この燃焼ガス通流室を備えて加熱手段を構成したもの（以下、平底タイプと称する場合がある）があった（例えば、特許文献１参照。）。
又、バーナの燃焼ガスを通流させる複数の燃焼ガス通流管を油槽内の調理油に浸漬する状態で設けて、これら複数の燃焼ガス通流管を備えて加熱手段を構成したもの（以下、浸管タイプと称する場合がある）もあった（例えば、特許文献２参照。）。
【先行技術文献】
【特許文献】
【０００３】
【特許文献１】特開２０１２−３４９６３号公報
【特許文献２】特開２００３−２７５１０５号公報
【発明の概要】
【発明が解決しようとする課題】
【０００４】
平底タイプのフライヤーは、加熱手段を構成する部材が油槽内に設けられていないため、油槽を清掃し易いので、フライヤーの清掃性に優れている。一方、調理油を加熱する加熱効率を向上するには、燃焼ガス通流室を広範囲に設けるには限度があるので、バーナの燃焼量を増大して、燃焼ガス通流室に通流させる燃焼ガス量を増大したり、燃焼ガス通流室内に燃焼ガスを蛇行状等に流動させる通流案内部材を設けて、燃焼ガスの通流経路を長くしたりする方法が想定されるが、いずれも、バーナが不完全燃焼になり易くなると共に、ＣＯガスが発生し易くなるため限界があるので、加熱効率を向上し難い。
浸管タイプのフライヤーは、複数の燃焼ガス通流管が油槽内の調理油に浸漬する状態で設けられているので、加熱効率に優れている。一方、フライヤーの清掃の際には、複数の燃焼ガス通流管が設けられた構造が複雑であり、又、油槽内の複数の燃焼ガス通流管が邪魔になるので、油槽を清掃し難い。
【０００５】
又、平底タイプのフライヤー及び浸管タイプのフライヤー共に、バーナの高温の燃焼ガスを加熱媒体として燃焼ガス通流室や燃焼ガス通流管に通流させるので、熱疲労により、油槽、燃焼ガス通流室及び燃焼ガス通流管が劣化し易い。
そして、劣化により、万が一、油槽や燃焼ガス通流室や燃焼ガス通流管にクラックが入ると、燃焼ガスの温度は調理油の自然発火温度よりも高いため、油槽内の調理油が自然発火する虞がある。そこで、調理油の自然発火を防止するために、耐熱性に優れた高価な材料を用いて、油槽、燃焼ガス通流室及び燃焼ガス通流管を構成する必要があるので、フライヤーの価格が高くなるという問題があった。
【０００６】
本発明は、かかる実情に鑑みてなされたものであり、その目的は、清掃性及び加熱効率の向上並びに低廉化を図りながら、油槽内の調理油の自然発火を防止し得るフライヤーを提供することにある。
【課題を解決するための手段】
【０００７】
本発明に係るフライヤーは、調理油を収容する油槽と、その油槽内の調理油を加熱する加熱手段とが設けられたものであって、
第１特徴構成は、前記加熱手段が、過熱蒸気を生成する過熱蒸気生成装置と、その過熱蒸気生成装置にて生成された過熱蒸気を流動させる過熱蒸気通流部とを備えて構成され、
前記過熱蒸気通流部が、前記油槽の外側面を全周にわたって覆う状態で配置され、
前記過熱蒸気生成装置が、生成する過熱蒸気の温度を調整可能な蒸気温度調整部を備え、
前記蒸気温度調整部が、前記過熱蒸気の温度を前記油槽内の調理油の自然発火温度よりも低い温度に調整するように構成されている点にある。
【０００８】
上記特徴構成によれば、蒸気温度調整部を備えた過熱蒸気生成装置により、調理油の自然発火温度よりも低い温度に温度が調整された過熱蒸気が生成され、そのように生成された過熱蒸気が、油槽の外側面を全周にわたって覆う状態で配置された過熱蒸気通流部に供給されて、その過熱蒸気通流部を流動することにより、油槽内の調理油が加熱される。
【０００９】
つまり、過熱蒸気通流部を油槽の外側面を全周にわたって覆う状態で配置する構成であることから、例えば、油槽の外側面の全面にわたって配置する等、過熱蒸気通流部を、油槽の外側面に対して効果的に広範囲に配置することが可能であるので、油槽内の調理油を広範囲にわたって加熱することが可能となり、加熱効率を向上することができる。
又、加熱手段を構成する部材が油槽内に設けられることがないので、油槽を清掃し易く、フライヤーの清掃性を向上することができる。
【００１０】
更に、加熱媒体として過熱蒸気通流部に供給される過熱蒸気の温度は、蒸気温度調整部により、調理油の自然発火温度よりも低い温度に調整されるので、従来のフライヤーで加熱媒体として用いられていたバーナの燃焼ガスの温度よりも低くなるため、油槽及び過熱蒸気通流部の熱疲労を効果的に抑制することができる。
そこで、加熱媒体として、調理油の自然発火温度よりも低い温度の過熱蒸気を用いることにより、加熱媒体としてバーナの燃焼ガスを用いる場合ほどには、油槽及び過熱蒸気通流部に高い耐熱性が要求されないので、熱疲労を効果的に抑制して、油槽及び過熱蒸気通流部にクラックが入るのを確実に防止しながら、油槽及び過熱蒸気通流部を熱伝導率が高くしかも比較的安価な材料を用いて構成することができる。
このことにより、フライヤーの低廉化を図ることができ、加熱効率も更に向上することができる。
従って、清掃性及び加熱効率の向上並びに低廉化を図りながら、油槽内の調理油の自然発火を防止し得るフライヤーを提供することができる。
【００１１】
第２特徴構成は、上記第１特徴構成に加えて、
前記過熱蒸気通流部が、前記油槽の外側面における上方側の部分を覆うように配置されて、前記油槽における底部側に、上方側の部分よりも調理油の温度が低いクールゾーンが形成される点にある。
【００１２】
即ち、食材を油槽内に入れて揚げ調理を行う際に生じた油カスや食品カスは、油槽内の底部に集まる。
上記特徴構成によれば、油槽における底部側に、上方側の部分よりも調理油の温度が低いクールゾーンが形成されるので、油カスや食品カスが焦げ難い。
従って、調理油の劣化を低減しながら、揚げ調理を行うことができる。
【００１３】
第３特徴構成は、上記第１又は第２特徴構成に加えて、
前記過熱蒸気生成装置が、供給される水をバーナを熱源として加熱して飽和水蒸気を生成する蒸気発生器と、その蒸気発生器から供給される飽和水蒸気を電気式加熱部を熱源として加熱して過熱蒸気を生成する過熱蒸気生成器とを備えて構成され、
前記蒸気温度調整部が、前記電気式加熱部に供給する電力を調整することにより、前記過熱蒸気の温度を調整するように構成されている点にある。
【００１４】
上記特徴構成によれば、蒸気発生器において、供給される水がバーナを熱源として加熱されて、飽和水蒸気が生成され、その飽和水蒸気が過熱蒸気生成器に供給されて、過熱蒸気生成器において、電気式加熱部を熱源として加熱されて、過熱蒸気が生成される。
そして、蒸気温度調整部により、電気式加熱部に供給する電力が調整されることにより、過熱蒸気の温度が調整される。
つまり、過熱蒸気生成器において過熱蒸気を生成するための熱源として、電気式加熱部を用いることにより、生成する過熱蒸気の温度を、調理油の自然発火温度よりも低い所定の温度に精度よく調整することができるようになる。このことにより、油槽内の調理油を、食材を揚げ調理するための所定の目標温度に精度良く加熱することができる。
従って、揚げ調理の調理品質を一層向上することができる。
【００１５】
第４特徴構成は、上記第１〜第３特徴構成のいずれか１つに加えて、
前記過熱蒸気通流部から排出された排蒸気と前記過熱蒸気生成装置に供給される過熱蒸気生成用の水とを熱交換させて、その過熱蒸気生成用の水を予熱する予熱器が設けられている点にある。
【００１６】
上記特徴構成によれば、予熱器により、過熱蒸気通流部から排出された排蒸気と過熱蒸気生成装置に供給される過熱蒸気生成用の水とが熱交換されて、過熱蒸気生成装置に供給される過熱蒸気生成用の水が予熱される。
つまり、過熱蒸気通流部から排出される排蒸気によって廃棄される熱の一部を回収して、過熱蒸気生成用の水を予熱することができるので、加熱効率を更に向上することができる。
【図面の簡単な説明】
【００１７】
【図１】フライヤーの全体概略構成を示す図
【図２】フライヤーの過熱蒸気生成装置及び制御構成を示すブロック図
【図３】フライヤーの要部の縦断面図
【発明を実施するための形態】
【００１８】
以下、図面に基づいて、本発明の実施の形態を説明する。
図１に示すように、フライヤーは、調理油Ｌを収容する油槽１、その油槽１内の調理油Ｌを加熱する加熱手段Ｈ、フライヤーの運転を制御する制御部２、その制御部２に各種制御情報を指令する操作部３、及び、フライヤーの作動状態等、各種情報を表示する表示部４（例えば、液晶ディスプレイ）等を備えて構成されている。図示を省略するが、操作部３には、フライヤーの起動及び停止を指令する運転スイッチ、油槽１内の調理油Ｌを加熱する目標温度である加熱目標温度を設定する温度設定部等が備えられている。
【００１９】
図１及び図３に示すように、油槽１は、平面視が正方形状で、上部が略全体にわたって開口した容器状に形成され、この油槽１が、フライヤーの外装を形成する外装ケーシング５の上部開口部の縁部に吊り下げ支持された状態で、その外装ケーシング５に組み付けられている。
又、油槽１は、上方側の上方部分１ｕが、横断形状が正方形状で且つ横断面積が一定な四角筒状に形成され、底部側の底部部分１ｂが、横断形状が正方形状で且つ横断面積が下方ほど狭くなる截頭四角錐形状の器状に形成されて、全体として下窄まり状に構成されている。
そして、その油槽１の底部に、調理油Ｌを排出する管状の排油口６が設けられ、その排油口６には、その排油口６を開閉自在な排油コック７が設けられている。
【００２０】
外装ケーシング５の上部の後端部には、上方に立ち上がる立ち上がり部５ｓが設けられ、その立ち上がり部５ｓに、前述の操作部３及び表示部４が装備された操作盤８が設けられている。
【００２１】
図１及び図２に示すように、本発明では、加熱手段Ｈが、過熱蒸気Ｖａを生成する過熱蒸気生成装置Ｓと、その過熱蒸気生成装置Ｓにて生成された過熱蒸気Ｖａを流動させる過熱蒸気通流部Ｒとを備えて構成され、過熱蒸気通流部Ｒが、油槽１の外側面１ｓを全周にわたって覆う状態で配置されている。
又、過熱蒸気生成装置Ｓが、生成する過熱蒸気Ｖａの温度を調整可能な蒸気温度調整部Ｃを備え、その蒸気温度調整部Ｃが、過熱蒸気Ｖａの温度を油槽１内の調理油Ｌの自然発火温度よりも低い温度に調整するように構成されている。
【００２２】
次に、過熱蒸気生成装置Ｓについて、説明を加える。
図１及び図３に示すように、過熱蒸気通流部Ｒは、油槽１の上方部分１ｕの外側面１ｓを全周にわたって覆う状態で配置されている。具体的には、上方部分１ｕの外側面１ｓを形成する側壁部分１ｗの全周にわたって、樋状の通流部形成部材９が、その開口縁部を側壁部分１ｗの外側面１ｓに当て付けた状態でその側壁部分１ｗに気密状に取り付けられている。そして、それら上方部分１ｕの側壁部分１ｗと通流部形成部材９とにより、過熱蒸気通流部Ｒが、油槽１の上方部分１ｕの外側面１ｓを全周にわたって覆う四角枠状に構成される。
【００２３】
詳細は後述するが、過熱蒸気通流部Ｒに過熱蒸気Ｖａが供給されることにより、油槽１の上方部分１ｕ内の調理油Ｌが集中的に加熱されることになり、上方部分１ｕ内に、揚げ調理対象の食材（図示省略）の揚げ調理を行う揚げ調理ゾーンＺｆが形成され、油槽１の底部部分１ｂ内に、調理油Ｌの温度が上方部分１ｕ内に形成される揚げ調理ゾーンＺｆよりも低いクールゾーンＺｃが形成される。
つまり、過熱蒸気通流部Ｒが、油槽１の外側面１ｓにおける上方側の部分を覆うように配置されて、油槽１における底部側に、上方部分１ｕよりも調理油Ｌの温度が低いクールゾーンＺｃが形成されることになる。
そして、図２及び図３に示すように、油槽１における揚げ調理ゾーンＺｆの調理油Ｌの温度を検出する調理油温度センサ１０が設けられている。
【００２４】
図１及び図２に示すように、過熱蒸気生成装置Ｓが、給水路１８を通して供給される水Ｗをガスバーナ３１を熱源として加熱して飽和水蒸気Ｖｂを生成する蒸気発生器３０と、その蒸気発生器３０から飽和水蒸気路１１を通して供給される飽和水蒸気Ｖｂを電気ヒータ４１（電気式加熱部の一例）を熱源として加熱して過熱蒸気Ｖａを生成する過熱蒸気生成器４０とを備えて構成されている。
【００２５】
蒸気発生器３０は、図２に詳細を示すように、両端が閉塞された円筒状の炉筒３２内に、ガスバーナ３１の燃焼ガスＥを通流させる複数の円筒状の煙管３３を、夫々の軸芯を炉筒３２の軸心に沿わせた姿勢で環状に並べて配設して構成される。
炉筒３２は、軸心を水平方向に沿わせた姿勢で配置され、その炉筒３２の一端部には、複数の煙管３３夫々の一端が連通する供給ヘッダ３４が設けられ、炉筒３２の他端部には、複数の煙管３３夫々の他端が連通する排出ヘッダ３５が設けられている。
ガスバーナ３１は、燃焼ガスＥを供給ヘッダ３４に供給するように設けられている。
【００２６】
ガスバーナ３１には、ガス燃料（例えば、１３Ａ等の天然ガスベースの都市ガス）を供給する燃料供給路１２、及び、空気ブロア１３により燃焼用空気を供給する空気供給路１４が接続されている。燃料供給路１２には、ガスバーナ３１へのガス燃料の供給を断続する燃料断続弁１５、及び、ガス燃料の供給量を調整する燃料供給量調整弁１６が設けられている。
又、炉筒３２の底部には、給水ポンプ１７により水Ｗを供給する給水路１８が接続され、炉筒３２の上部には、炉筒３２内で生成された飽和水蒸気Ｖｂを送出する飽和水蒸気路１１が接続されている。
【００２７】
つまり、ガスバーナ３１が燃焼してその燃焼ガスＥが複数の煙管３３を通流することにより、炉筒３２内の水Ｗが加熱されて飽和水蒸気Ｖｂが生成され、その飽和水蒸気Ｖｂが飽和水蒸気路１１を通して過熱蒸気生成器４０に供給されることになる。
【００２８】
過熱蒸気生成器４０は、図２に詳細を示すように、両端が閉塞された容器４２内に、Ｕ字状の電気ヒータ４１を容器４２の一端部に支持させた状態で配設して構成され、更に、電気ヒータ４１を駆動するヒータ駆動部４３も備えている。
容器４２の一端側の上部には、一端が蒸気発生器３０の炉筒３２に接続された飽和水蒸気路１１の他端が接続されている。
つまり、飽和水蒸気路１１を通して飽和水蒸気Ｖｂが蒸気発生器３０から容器４２内に供給され、その容器４２内で飽和水蒸気Ｖｂが電気ヒータ４１により加熱されることにより、過熱蒸気Ｖａが生成される。又、ヒータ駆動部４３により電気ヒータ４１に通電される電力が調整されて、電気ヒータ４１の加熱温度が調整されることにより、過熱蒸気生成器４０にて生成される過熱蒸気Ｖａの温度が調整される。
【００２９】
図１及び図２に示すように、容器４２における飽和水蒸気路１１が接続された側とは反対側の端部の上部には、容器４２内で生成された過熱蒸気Ｖａを送出する過熱蒸気路２０の一端が接続され、図３にも示すように、この過熱蒸気路２０の他端は、過熱蒸気通流部Ｒに接続され、更に、過熱蒸気通流部Ｒには、その過熱蒸気通流部Ｒから排蒸気Ｖｃを排出させる排蒸気路２１が接続されている。
図２に示すように、過熱蒸気路２０における容器４２側の部分には、内部を通流する過熱蒸気Ｖａの温度を検出する過熱蒸気温度センサ２２が設けられている。
又、過熱蒸気通流部Ｒから排出されて排蒸気路２１を通流する排蒸気Ｖｃと給水路１８を通流する過熱蒸気生成用の水Ｗとを熱交換させて、その過熱蒸気生成用の水Ｗを予熱する予熱器２３が設けられている。
【００３０】
次に、制御部２の制御動作について、説明する。
制御部２は、調理油温度センサ１０にて検出される調理油Ｌの温度が操作部３の温度設定部にて設定された加熱目標温度になるように、ガスバーナ３１へのガス燃料の供給量を調整すべく、燃料供給量調整弁１６を制御すると共に、ガスバーナ３１への燃焼用空気の供給量を燃料供給量調整弁１６により調整されるガス燃料の供給量に応じて調整すべく、空気ブロア１３を制御する。
又、制御部２は、炉筒３２内の水Ｗの水位を検出する水位センサ（図示省略）の検出水位が予め設定された設定水位になるように、炉筒３２への水Ｗの供給量を調整すべく、給水ポンプ１７を制御する。
ちなみに、設定水位は、全ての煙管３３が浸漬される状態で、炉筒３２内の上部に気相部が形成される所定の水位に設定される。
【００３１】
制御部２は、過熱蒸気温度センサ２２にて検出される過熱蒸気Ｖａの温度が調理油Ｌの自然発火温度よりも低い温度に設定された生成目標温度になるように、ヒータ駆動部４３へ通電する電力を調整するように構成されている。ちなみに、調理油Ｌの自然発火温度が３５０℃程度の場合、生成目標温度は、例えば、２５０℃に設定される。
つまり、制御部２及びヒータ駆動部４３により、蒸気温度調整部Ｃが構成されることになる。
【００３２】
次に、上述のように構成されたフライヤーの作動形態について、説明する。
給水路１８を通して蒸気発生器３０の炉筒３２に供給されて炉筒３２内に貯留される水Ｗが、炉筒３２内で複数の煙管３３により加熱されて、飽和水蒸気Ｖｂが生成され、その飽和水蒸気Ｖｂが飽和水蒸気路１１を通して、過熱蒸気生成器４０の容器４２内に供給され、その容器４２内で飽和水蒸気Ｖｂが電気ヒータ４１により加熱されることにより、温度が調理油Ｌの自然発火温度よりも低い生成目標温度に調整された過熱蒸気Ｖａが生成される。
【００３３】
そのように生成された過熱蒸気Ｖａが容器４２から過熱蒸気路２０を通して過熱蒸気通流部Ｒに供給されて、過熱蒸気通流部Ｒを通流することにより、油槽１における上方部分１ｕ内の揚げ調理ゾーンＺｆの調理油Ｌが集中的に加熱され、油槽１における底部部分１ｂ内に、揚げ調理ゾーンＺｆよりも調理油Ｌの温度が低いクールゾーンＺｃが形成される。
この際、ガスバーナ３１の燃焼量が調整されて、過熱蒸気通流部Ｒに供給される過熱蒸気Ｖａの供給量が調整されることにより、油槽１における揚げ調理ゾーンＺｆ内の調理油Ｌの温度が加熱目標温度に調整される。
【００３４】
過熱蒸気通流部Ｒを通流する過熱蒸気Ｖａは、調理油Ｌを加熱することにより温度が低下し、排蒸気Ｖｃとして排蒸気路２１を通して排出される。
そして、予熱器２３において、排蒸気路２１を通流する排蒸気Ｖｃにより給水路１８を通流する水Ｗが加熱されることにより、蒸気発生器３０に供給される過熱蒸気生成用の水Ｗが予熱される。
【００３５】
即ち、過熱蒸気通流部Ｒを油槽１の外側面１ｓを全周にわたって覆う状態で配置する構成とすることにより、油槽１の外側面１ｓに対して、過熱蒸気通流部Ｒを効果的に広範囲に配置することができるので、油槽１内の調理油Ｌを広範囲にわたって加熱することが可能となり、加熱効率を向上することができる。
又、過熱蒸気通流部Ｒに供給される過熱蒸気Ｖａの温度が、油槽１内の調理油Ｌの自然発火温度よりも低くなるように調整されるので、油槽１及び過熱蒸気通流部Ｒの熱疲労を効果的に抑制することができる。このことにより、熱疲労を効果的に抑制して、油槽１及び過熱蒸気通流部Ｒにクラックが入るのを確実に防止しながら、油槽１及び過熱蒸気通流部Ｒを熱伝導率が高くしかも安価な材料を用いて構成することができる。
従って、フライヤーの清掃性及び加熱効率の向上並びに低廉化を図りながら、油槽１内の調理油Ｌの自然発火を防止することができる。
【００３６】
又、油カスや食品カスは、油槽１内の底部に集まるが、油槽１内の底部側に、上方側の揚げ調理ゾーンＺｆよりも調理油Ｌの温度が低いクールゾーンＺｃが形成されるので、油カスや食品カスが焦げ難く、調理油Ｌの劣化を低減できる。
【００３７】
〔別実施形態〕
次に別実施形態を説明する。
（イ）  油槽１の外側面１ｓを全周にわたって覆う状態で配置する過熱蒸気通流部Ｒの配置形態は、上記の実施形態において例示した形態、即ち、油槽１の上方部分１ｕの外側面１ｓを全周にわたって覆う配置形態に限定されるものではない。例えば、油槽１の外側面１ｓの全面を覆う配置形態でも良い。又、過熱蒸気通流部Ｒとして、油槽１の外側面１ｓを全周にわたって覆う状態の部分に加えて、油槽１の底部の外面を覆う状態の部分を追加しても良い。
【００３８】
（ロ）  過熱蒸気生成装置Ｓを蒸気発生器３０と過熱蒸気生成器４０とを備えて構成する場合に、蒸気発生器３０の熱源や過熱蒸気生成器４０の熱源は、上記の実施形態において例示した熱源に限定されるものではない。例えば、蒸気発生器３０の熱源として、上記の実施形態のガスバーナ３１に代えて、電気ヒータ等の電気式加熱部を用いても良い。又、過熱蒸気生成器４０の熱源として、上記の実施形態の電気ヒータ４１に代えて、ガスバーナ等のバーナを用いても良い。
又、上記の実施形態では、蒸気発生器３０と過熱蒸気生成器４０とを別体に構成したが、一体的に構成しても良い。
【００３９】
（ハ）  過熱蒸気通流部Ｒ内に、過熱蒸気Ｖａを蛇行状等に通流させる通流案内部材を設けて、過熱蒸気通流部Ｒ内における過熱蒸気Ｖａの通流経路を長くしても良い。このことにより、加熱効率を更に向上させることができる。
【００４０】
（ニ）  油槽１の形状は、上記の実施形態において例示した形状、即ち、平面視形状が正方向で下窄まり状に限定されるものではない。例えば、平面視形状が長方形状や円状でも良い。そして、過熱蒸気通流部Ｒは、油槽１の形状に合わせて、油槽１の外周面のうち、少なくとも外側面１ｓを全周にわたって覆う状態で配置することになる。
【産業上の利用可能性】
【００４１】
以上説明したように、清掃性及び加熱効率の向上並びに低廉化を図りながら、油槽内の調理油の自然発火を防止し得るフライヤーを提供することができる。
【符号の説明】
【００４２】
１    油槽
１ｓ  外側面
２３  予熱器
３０  蒸気発生器
３１  ガスバーナ（バーナ）
４０  過熱蒸気生成器
４１  電気ヒータ（電気式加熱部）
Ｃ    蒸気温度調整部
Ｈ    加熱手段
Ｌ    調理油
Ｒ    過熱蒸気通流部
Ｓ    過熱蒸気生成装置
Ｖａ  過熱蒸気
Ｖｂ  飽和水蒸気
Ｖｃ  排蒸気
Ｗ    水
Ｚｃ  クールゾーン
【図１】
2015205038.tif 000003
【図２】
2015205038.tif 000004
【図３】
2015205038.tif 000005